【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
ユーザ機器に適用されるアプリケーションにおいて機能を呼び出すための方法であって：
前記ユーザ機器でのユーザの操作を取得するステップ（Ｓ１０１）と；
前記取得した操作が所定のユーザ操作と一致する場合、前記所定のユーザ操作に関連付けられたアプリケーションにおいて機能を呼び出すステップ（Ｓ１０２）と；を備える、
機能を呼び出すための方法。
【請求項２】
検知モジュールが前記ユーザ機器に構成され、
前記ユーザ機器でのユーザの操作を取得する前記ステップは、具体的に、
前記検知モジュールによる、ユーザ操作を検出した結果を取得するステップ；を備え、
前記取得した操作が所定のユーザ操作と一致する場合、前記所定のユーザ操作に関連付けられたアプリケーションにおいて機能を呼び出す前記ステップは、具体的に、
前記所定のユーザ操作の入力が検出された後、前記所定のユーザ操作に関連付けられた前記アプリケーションにおいて前記機能を呼び出すステップ；を備える、
請求項１に記載の機能を呼び出すための方法。
【請求項３】
前記検知モジュールによる、ユーザ操作を検出した結果を取得する前記ステップは：
前記ユーザ機器が不使用状態である場合に、前記検知モジュールによる、ユーザ操作を検出した前記結果を取得するステップ；を備え、
前記不使用状態は、ロック状態、スリープ状態、及び／又はスタンバイ状態を含む、
請求項２に記載の機能を呼び出すための方法。
【請求項４】
前記ユーザ機器が不使用状態である場合に、前記検知モジュールによる、ユーザ操作を検出した前記結果を取得する前記ステップは：
前記ユーザ機器がスリープ状態から立ち上げられ、ロックされた状態にある場合に、前記検知モジュールによる、ユーザ操作を検出した前記結果を取得するステップ；を備える、
請求項３に記載の機能を呼び出すための方法。
【請求項５】
前記検知モジュールによる、ユーザ操作を検出した結果を取得する前記ステップは：
所定のボタンが押された場合に、前記検知モジュールによる、ユーザ操作を検出した前記結果を取得するステップ；を備える、
請求項２に記載の機能を呼び出すための方法。
【請求項６】
前記所定のユーザ操作の入力が検出された後、前記所定のユーザ操作に関連付けられた前記アプリケーションにおいて前記機能を呼び出す前記ステップは：
前記所定のユーザ操作の入力が検出された後、前記ユーザが正しい認証情報を入力したかどうかを更に特定し、前記ユーザが正しい認証情報を入力した場合に、前記所定のユーザ操作に関連付けられた前記アプリケーションにおいて前記機能を呼び出すステップ；を備える、
請求項２に記載の機能を呼び出すための方法。
【請求項７】
前記検知モジュールは、加速度センサであり、
前記所定のユーザ操作は、前記ユーザ機器での振り操作であり、前記振り操作の振り数及び振り幅は、それぞれ、予め選択した閾値以上である、
請求項２に記載の機能を呼び出すための方法。
【請求項８】
前記検知モジュールは、ジャイロスコープであり、
前記所定のユーザ操作は、前記ユーザ機器での揺動操作であり、前記揺動操作の揺動数及び揺動幅は、それぞれ、予め選択した閾値以上である、
請求項２に記載の機能を呼び出すための方法。
【請求項９】
ボタンが前記ユーザ機器上に構成され、
前記ユーザ機器でのユーザの操作を取得する前記ステップは、具体的には：
前記ユーザ機器の前記ボタン上での前記ユーザの押し操作を取得するステップ；を備え、
前記所定のユーザ操作は、具体的には、所定のボタンを押す操作を含む、
請求項１に記載の機能を呼び出すための方法。
【請求項１０】
タッチ入力モジュールが前記ユーザ機器に構成され、
前記ユーザ機器でのユーザの操作を取得する前記ステップは、具体的には：
前記タッチ入力モジュール上で前記ユーザによって入力されたタッチジェスチャを取得するステップ；を備え；
前記所定のユーザ操作は、具体的には、所定のタッチジェスチャを入力する操作を含む、
請求項１に記載の機能を呼び出すための方法。
【請求項１１】
指紋モジュールが前記ユーザ機器に構成され、
前記ユーザ機器でのユーザの操作を取得する前記ステップは、具体的には：
前記指紋モジュール上で前記ユーザによって入力された指紋情報を取得するステップ；を備え、
前記所定のユーザ操作は、予め選択した指紋情報を入力する操作である、
請求項１に記載の機能を呼び出すための方法。
【請求項１２】
前記所定のユーザ操作に関連付けられたアプリケーションにおいて機能を呼び出す前記ステップは：
情報イメージを前記ユーザ機器の画面上に表示するように、情報イメージを含むアプリケーションにおいて情報イメージ表示機能インターフェースを呼び出すステップ；を備える、
請求項１に記載の機能を呼び出すための方法。
【請求項１３】
前記アプリケーションは、決済アプリケーションを備え、
前記アプリケーションの前記機能は、決済バーコード表示インターフェースを備え、
前記取得した操作が所定のユーザ操作と一致する場合、前記所定のユーザ操作に関連付けられたアプリケーションにおいて機能を呼び出す前記ステップは；
前記取得した操作が所定のユーザ操作と一致する場合、決済のために用いられるバーコードイメージを前記ユーザ機器の画面上に表示するように、決済アプリケーションにおいて決済バーコード表示インターフェースを呼び出すステップ；を備える、
請求項１に記載の機能を呼び出すための方法。
【請求項１４】
前記取得した操作が所定のユーザ操作と一致する場合、決済のために用いられるバーコードイメージを前記ユーザ機器の画面上に表示するように、決済アプリケーションにおいて決済バーコード表示インターフェースを呼び出す前記ステップは、具体的には：
前記所定のユーザ操作の入力が検出された場合、決済のために用いられる前記バーコードイメージを前記ユーザ機器の前記画面上に表示するように、前記決済アプリケーションにおいて前記決済バーコード表示インターフェースを呼び出すステップ；を備える、
請求項１３に記載の機能を呼び出すための方法。
【請求項１５】
アプリケーションにおいて機能を呼び出すための装置であって、請求項１〜１４のいずれか１項に記載の方法を実行するように構成された、複数のモジュール（１１０、１２０、２１０、２２０）を備える、
機能を呼び出すための装置。
【手続補正２】
【補正対象書類名】明細書
【補正対象項目名】０１５６
【補正方法】変更
【補正の内容】
【０１５６】
前述の説明は、単なる本願の特定の実施にすぎない。当業者は本願の原理から逸脱することなくいくつかの改良又は研磨を行うことができ、改良又は研磨は本願の保護範囲内に入ることに留意されたい。
［第１の局面］
ユーザ機器に適用されるアプリケーションにおいて機能を呼び出すための方法であって：
前記ユーザ機器でのユーザの操作を取得するステップと；
前記取得した操作が所定のユーザ操作と一致する場合、所定のユーザ操作に関連付けられたアプリケーションにおいて機能を呼び出すステップと；を備える、
機能を呼び出すための方法。
［第２の局面］
検知モジュールが前記ユーザ機器に構成され；
前記ユーザ機器でのユーザの操作を取得する前記ステップは、具体的に：
前記検知モジュールによる、ユーザ操作を検出した結果を取得するステップを備え；
前記取得した操作が所定のユーザ操作と一致する場合、前記所定のユーザ操作に関連付けられたアプリケーションにおいて機能を呼び出す前記ステップは、具体的に：
前記所定のユーザ操作の入力が検出された後、前記所定のユーザ操作に関連付けられた前記アプリケーションにおいて前記機能を呼び出すステップを備える、
第１の局面に記載の方法。
［第３の局面］
前記検知モジュールによる、ユーザ操作を検出した結果を取得する前記ステップは：
前記ユーザ機器が不使用状態である場合に、前記検知モジュールによる、ユーザ操作を検出した前記結果を取得するステップを備え、
前記不使用状態は、ロック状態、スリープ状態、及び／又はスタンバイ状態を含む、
第２の局面に記載の方法。
［第４の局面］
前記ユーザ機器が不使用状態である場合に、前記検知モジュールによる、ユーザ操作を検出した前記結果を取得する前記ステップは：
前記ユーザ機器がスリープ状態から立ち上げられ、ロックされた状態にある場合に、前記検知モジュールによる、ユーザ操作を検出した前記結果を取得するステップを備える、
第３の局面に記載の方法。
［第５の局面］
前記検知モジュールによる、ユーザ操作を検出した結果を取得する前記ステップは：
所定のボタンが押された場合に、前記検知モジュールによる、ユーザ操作を検出した前記結果を取得するステップを備える、
第２の局面に記載の方法。
［第６の局面］
前記所定のユーザ操作の入力が検出された後、前記所定のユーザ操作に関連付けられた前記アプリケーションにおいて前記機能を呼び出す前記ステップは：
前記所定のユーザ操作の入力が検出された後、前記ユーザが正しい認証情報を入力したかどうかを更に特定し、前記ユーザが正しい認証情報を入力した場合に、前記所定のユーザ操作に関連付けられた前記アプリケーションにおいて前記機能を呼び出すステップを備える、
第２の局面に記載の方法。
［第７の局面］
前記検知モジュールは加速度センサであり；
前記所定のユーザ操作は、前記ユーザ機器での振り操作であり、前記振り操作の振り数及び振り幅は、それぞれ、予め選択した閾値以上である、
第２の局面に記載の方法。
［第８の局面］
前記検知モジュールはジャイロスコープであり；
前記所定のユーザ操作は前記ユーザ機器での揺動操作であり、前記揺動操作の揺動数及び揺動幅は、それぞれ、予め選択した閾値以上である、
第２の局面に記載の方法。
［第９の局面］
ボタンが前記ユーザ機器上に構成され；
前記ユーザ機器上でのユーザの操作を取得する前記ステップは、具体的には：
前記ユーザ機器の前記ボタン上での前記ユーザの押し操作を取得するステップを備え、
前記所定のユーザ操作は、具体的には、所定のボタンを押す操作を含む、
第１の局面に記載の方法。
［第１０の局面］
タッチ入力モジュールが前記ユーザ機器に構成され；
前記ユーザ機器でのユーザの操作を取得する前記ステップは、具体的には：
前記タッチ入力モジュール上で前記ユーザによって入力されたタッチジェスチャを取得するステップを備え；
前記所定のユーザ操作は、具体的には、所定のタッチジェスチャを入力する操作を含む、
第１の局面に記載の方法。
［第１１の局面］
指紋モジュールが前記ユーザ機器に構成され；
前記ユーザ機器でのユーザの操作を取得する前記ステップは、具体的には：
前記指紋モジュール上で前記ユーザによって入力された指紋情報を取得するステップを備え；
前記所定のユーザ操作は、予め選択した指紋情報を入力する操作である、
第１の局面に記載の方法。
［第１２の局面］
前記所定のユーザ操作に関連付けられたアプリケーションにおいて機能を呼び出す前記ステップは：
情報イメージを前記ユーザ機器の画面上に表示するように、情報イメージを含むアプリケーションにおいて情報イメージ表示機能インターフェースを呼び出すステップを備える、
第１の局面に記載の方法。
［第１３の局面］
ユーザ機器に適用されるバーコード決済方法であって：
前記ユーザ機器でユーザの操作を取得するステップと；
前記取得した操作が所定のユーザ操作と一致する場合、決済のために用いられるバーコードイメージを前記ユーザ機器の画面上に表示するように、決済アプリケーションにおいて決済バーコード表示インターフェースを呼び出すステップと；を備える、
バーコード決済方法。
［第１４の局面］
検知モジュールが前記ユーザ機器に構成され；
前記ユーザ機器でのユーザの操作を取得する前記ステップは、具体的には：
前記検知モジュールによる、ユーザ操作を検出した結果を取得するステップを備え；
前記取得した操作が所定のユーザ操作と一致する場合、決済のために用いられるバーコードイメージを前記ユーザ機器の画面上に表示するように、決済アプリケーションにおいて決済バーコード表示インターフェースを呼び出す前記ステップは、具体的には：
前記所定のユーザ操作の入力が検出された場合、決済のために用いられる前記バーコードイメージを前記ユーザ機器の前記画面上に表示するように、前記決済アプリケーションにおいて前記決済バーコード表示インターフェースを呼び出すステップを備える、
第１３の局面に記載の方法。
［第１５の局面］
ユーザ機器に適用されるアプリケーションにおいて機能を呼び出すための装置であって：
前記ユーザ機器でのユーザの操作を取得するように構成された検出制御モジュールと；
前記取得した操作が所定のユーザ操作と一致する場合、前記所定のユーザ操作に関連付けられたアプリケーションにおいて機能を呼び出すように構成された呼出し制御モジュールと；
を備える、
機能を呼び出すための装置。
［第１６の局面］
検知モジュールが前記ユーザ機器に構成され；
前記検出制御モジュールは、具体的には、前記検知モジュールによる、ユーザ操作を検出した結果を取得するように構成され；
前記呼出し制御モジュールは、具体的には、前記所定のユーザ操作の入力が検出された後、前記所定のユーザ操作に関連付けられた前記アプリケーションにおいて前記機能を呼び出すように構成された、
第１５の局面に記載の装置。
［第１７の局面］
前記検出制御モジュールは、具体的には、前記ユーザ機器が不使用状態である場合に、前記検知モジュールによる、ユーザ操作を検出した前記結果を取得するように構成され、前記不使用状態は、ロック状態、スリープ状態、及び／又はスタンバイ状態を含む、
第１６の局面に記載の装置。
［第１８の局面］
前記検出制御モジュールは、具体的には、前記ユーザ機器がスリープ状態から立ち上げられ、ロックされた状態にある場合に、前記検知モジュールによる、ユーザ操作を検出した前記結果を取得するように構成された、
第１７の局面に記載の装置。
［第１９の局面］
前記検出制御モジュールは、所定のボタンが押された場合に、前記検知モジュールによる、ユーザ操作を検出した前記結果を取得するように構成された、
第１６の局面に記載の装置。
［第２０の局面］
前記呼出し制御モジュールは、前記所定のユーザ操作の入力が検出された後、前記ユーザが正しい認証情報を入力するかどうかを更に特定し、前記ユーザが正しい認証情報を入力した場合、前記所定のユーザ操作に関連付けられた前記アプリケーションにおいて前記機能を呼び出すように構成された、
第１６の局面に記載の装置。
［第２１の局面］
前記検知モジュールは加速度センサであり；
前記所定のユーザ操作は前記ユーザ機器での振り操作であり、前記振り操作の振り数及び振り幅は、それぞれ、予め選択した閾値以上である、
第１６の局面に記載の装置。
［第２２の局面］
前記検知モジュールはジャイロスコープであり；
前記所定のユーザ操作は前記ユーザ機器での揺動操作であり、前記揺動操作の揺動数及び揺動幅は、それぞれ、予め選択した閾値以上である、
第１６の局面に記載の装置。
［第２３の局面］
ボタンが前記ユーザ機器上に構成され；
前記検出制御モジュールは、具体的には、前記ユーザ機器の前記ボタン上での前記ユーザの押し操作を取得するように構成され；
前記所定のユーザ操作は、具体的には、所定のボタンを押す操作を含む、
第１５の局面に記載の装置。
［第２４の局面］
タッチ入力モジュールは前記ユーザ機器に構成され；
前記検出制御モジュールは、具体的には、前記タッチ入力モジュール上で前記ユーザによって入力されたタッチジェスチャを取得するように構成され；
前記所定のユーザ操作は、所定のタッチジェスチャを入力する操作を含む、
第１５の局面に記載の装置。
［第２５の局面］
指紋モジュールが前記ユーザ機器に構成され；
前記検出制御モジュールは、具体的には、前記指紋モジュール上で前記ユーザによって入力された指紋情報を取得するように構成され；
前記所定のユーザ操作は、予め選択した指紋情報を入力する操作を含む、
第１５の局面に記載の装置。
［第２６の局面］
前記呼出し制御モジュールは、情報イメージを前記ユーザ機器の画面上に表示するために、情報イメージを含むアプリケーションにおいて情報イメージ表示機能インターフェースを呼び出すように構成された、
第１５の局面に記載の装置。
［第２７の局面］
ユーザ機器に適用されるバーコード決済装置であって：
前記ユーザ機器でのユーザの操作を取得するように構成された検出制御モジュールと；
前記取得した操作が所定のユーザ操作と一致する場合、決済のために用いられるバーコードイメージを前記ユーザ機器の画面上に表示するために、決済アプリケーションにおいて決済バーコード表示インターフェースを呼び出すよう構成された決済バーコード表示制御モジュールと；を備える、
バーコード決済装置。
［第２８の局面］
検知モジュールが前記ユーザ機器に構成され；
前記検出制御モジュールは、具体的には、前記検知モジュールによる、ユーザ操作を検出した結果を取得するように構成され；
前記決済バーコード表示制御モジュールは、前記所定のユーザ操作の入力が検出された場合、決済のために用いられる前記バーコードイメージを前記ユーザ機器の前記画面上に表示するために、前記決済アプリケーションにおいて前記決済バーコード表示インターフェースを呼び出すように構成された、
第２７の局面に記載の装置。